(57)【要約】液体透過性上部シート（３）、液体不透過性下部シート（２）及びそれらの間に封入された吸収体（４）を含む、おむつ及び失禁ガードの如き吸収物品であって、前記物品が前部分（５）、後部分（６）及びそれらの間の股部分（７）を有し、前及び後部分が側部フラップ（８，９）を有し、それらの側部フラップが使用者の腰のまわりにパンツ状形状になるように一緒に物品に取り付けることを意図される。吸収物品は物品の後部分（６）あるいは前部分（５）の上縁（６ａ，５ａ）の近くに位置される少なくとも一つの取付手段（１１）を含み、それによって前記取付手段（１１）が物品の適用中使用者の皮膚に対して取り付けられることを意図される。好ましくは前記取付手段（１１）は破断の表示を含む有孔線（１３）の内側に配置される。【選択図】図１
2004511302.tif 000002
【特許請求の範囲】
【請求項１】
液体透過性上部シート（３）、液体不透過性下部シート（２）及びそれらの間に封入された吸収体（４）を含む、おむつ及び失禁ガードの如き吸収物品であって、前記物品が前部分（５）、後部分（６）及びそれらの間の股部分（７）を有し、前及び後部分が側部フラップ（８，９）を有し、それらの側部フラップが使用者の腰のまわりにパンツ状形状になるように一緒に物品に取り付けることを意図される吸収物品において、吸収物品が物品の後部分（６）あるいは前部分（５）の上縁（６ａ，５ａ）の近くに位置される少なくとも一つの取付手段（１１）を含み、それによって前記取付手段（１１）が物品の適用中使用者の皮膚に対して取り付けられることを意図されることを特徴とする吸収物品。
【請求項２】
前記取付手段（１１）が物品の後部分（６）あるいは前部分（５）上の想像された縦方向中心線（１２）上に本質的に横たわる部分に位置されることを特徴とする請求項１に記載の吸収物品。
【請求項３】
前記取付手段（１１）が一片の接着剤テープ、接着剤部分又は同様物を含むことを特徴とする請求項１又は２に記載の吸収物品。
【請求項４】
前記取付手段（１１）が破断の表示を含む有孔線（１３）の内側に配置されており、それに沿って取付手段（１１）を有する物品の部分が物品の残りから除去されることができることを特徴とする請求項１〜３のいずれかに記載の吸収物品。
【請求項５】
前記有孔線（１３）が本質的にＵ形状であることを特徴とする請求項１〜４のいずれかに記載の吸収物品。
【請求項６】
前記有孔線（１３）が本質的にＶ形状であることを特徴とする請求項１〜４のいずれかに記載の吸収物品。
【請求項７】
物品がベルトおむつであり、さらに１対のベルト部分（１０）が後部分（６）又は前部分（５）の側部フラップ（９，８）に接続され、そのベルト部分が使用者の腰のまわりに取り付けられることを意図され、対向する部分の側部フラップが取付手段（１６）によってベルト部分（１０）に取り付けられることを意図されることを特徴とする請求項１〜６のいずれかに記載の吸収物品。
【請求項８】
物品がオールインワンおむつであり、後部分（６）及び／又は前部分（５）の側部フラップが対向する部分に取り付けられることを意図される取付手段（１７）を有することを特徴とする請求項１〜６のいずれかに記載の吸収物品。
【発明の詳細な説明】
【０００１】
技術分野
本発明は、液体透過性上部シート、液体不透過性下部シート及びそれらの間に封入された吸収体を含む、おむつ及び失禁ガードの如き吸収物品であって、前記物品が前部分、後部分及びそれらの間の股部分を有し、前及び後部分が側部フラップを有し、それらの側部フラップが使用者の腰のまわりにパンツ状形状になるように一緒に物品に取り付けることを意図される吸収物品に関する。
【０００２】
発明の背景
失禁症の大人のためのおむつ及び失禁ガードは使用者の体に対して吸収体を適所に保持する衣料部分及び使用者が動いているときでも衣料部分を適所に保持する取付手段を通常有する。一般的なタイプの取付手段は吸収物品の前及び後部分を互いに直接取り付ける接着テープ又はタッチアンドクローズ型のフックアンドループファスナーである。さらに例えばＥＰ−Ａ　０２８７３８８，ＥＰ−Ａ　０４０９３０７，ＥＰ−Ａ　０５２８２８２，ＥＰ−Ａ　０６０５０１２及びＦＲ−Ａ　２５８６５５８を通して、ベルトによって物品の前及び後部分を取り付け、それによって適合状態を調整する可能性が改良されることが知られている。ベルトは、特に患者が立ち上がっているときに、おむつ又は失禁ガードの単純化された変化をさらに与える。
【０００３】
いわゆるオールインワンおむつ又はベルトおむつの適用時の一つの問題は、おむつを使用者の中心上に置くことである。特に患者が横になっており、看護スタッフがおむつを適用できるようにするために患者の体を数度回転させようとするとき、おむつの中心を脊椎の中心近くに横たわらすことが難しい。なぜならばおむつは患者が回転すると動くからである。従って、おむつはついにはそらされた状態に至ることが多く、特に封止機能及び快適性に関してあるべき効果が少なくなる。
【０００４】
文献ＷＯ　９８／４７４５７は装着者の皮膚に取り付けることを意図される内側接着剤表面を有するおむつを開示する。これらは最終的に患者に製品を取り付ける第一機械的固定手段と組合わせて製品の適用時に第二固定手段として機能する。その主な目的は最良の封止機能のために皮膚に対する製品の良好な適合を達成することであるが、それは製品がどのように装着者上に位置されるかについて記載しない。それは患者におむつを適用した後に接着剤表面を除去する方法についても記載しない。
【０００５】
発明の概要
本発明の目的は、使用者上の物品の適用及びセンタリングを容易にするように装着者上に位置されることができる吸収物品を達成することである。この目的は、吸収物品が物品の後部分あるいは前部分の上縁の近くに位置される少なくとも一つの取付手段を含み、それによって前記取付手段が物品の適用時に装着者の皮膚に対して取り付けられることを意図されることで解決される。前記取付手段は一時的な接着を可能にし、おむつの残りの続く適用時に患者上のおむつのセンタリングを確実にする。おむつは製品全体の適用後に前記取付手段の容易な除去のための手段を与えられてもよい。
【０００６】
図面の簡単な記述
本発明は添付図面に示された例を参照して以下により詳細に記載されるだろう。
図１はベルトおむつとして設計された本発明によるおむつ又は失禁ガードの透視図を概略的に示す。
図２はオールインワンおむつとして設計された本発明によるおむつ又は失禁ガードの透視図を概略的に示す。
図３は本発明によるおむつの後部分を示す。
【０００７】
発明の詳述
図面は液体不透過性下部シート２、液体透過性上部シート３及びそれらの間に封入された吸収体４を含む、おむつ又は失禁ガード１の二例を示す。液体透過性上部シート３は不織材料、例えば連続フィラメントのスパンボンド材料、メルトブロー材料、結合されカードされた繊維ウェブ又は有孔プラスチックフィルムからなることができる。液体不透過性下部シート２はプラスチックフィルム、液体不透過性材料で被覆された不織材料又は液体透過に抵抗する疎水性不織材料からなってもよい。下部シート２及び上部シート３は吸収体４より幾分大きな平面範囲を有し、その縁の外側に延びる。層２及び３は例えば接着又は熱もしくは超音波による溶接によってその突出部分内で互いに接続される。
【０００８】
吸収体４はいかなる従来の種類のものであることができる。一般的な吸収材料の例はセルロース毛羽パルプ、ティッシュ層、高吸収ポリマー（いわゆる超吸収材）、吸収フォーム材料、吸収不織材料などである。吸収体においてセルロース毛羽パルプを超吸収材と組み合わせることが一般的である。また、液体取得能力、液体分布能力及び貯蔵能力に関して異なる特性を有する異なる材料の層を含む吸収体を使用することも一般的である。それは当業者に良く知られており、それゆえ詳細に記載される必要はない。例えばベビー用おむつ及び失禁ガードにおいて一般的である薄い吸収体はセルロース毛羽パルプ及び超吸収材の圧縮された混合又は層状構造からなることが多い。
【０００９】
おむつ／失禁ガードは吸収パンツのような装着者の胴体の下部を包囲することを意図される。それは使用中使用者の体の前部上に装着されることを意図される前部分５、使用中使用者の体の後部上に装着されることを意図される後部分６、及び脚の間で使用者の股部に装着されることを意図され前及び後部分の間に位置される狭い股部分７を含む。本発明によるおむつはおむつの後部分６上に置かれた一片の接着剤テープを与えられる。おむつは図１に示されたようないわゆるベルトおむつ又は図２に示されたようないわゆるオールインワンおむつであってもよい。
【００１０】
図１はベルトおむつとして設計された本発明によるおむつを示す。前部分５あるいは後部分６は側部フラップ８を有し、その側部フラップは接着剤テープ部分又はフックアンドループファスナーの如き一種の固定手段１６を与えられることができる。後部分６あるいは前部分５は側部フラップ９も与えられ、その側部フラップ９は図１に示された例では１対のベルト部分１０で延ばされ、その少なくとも一つはその端部において接着剤テープ部分又はフックアンドループファスナーの如き固定手段１５を与えられる。ベルト部分１０は固定手段１５によって装着者の腰の前に取り付けられることを意図される。前部分５あるいは後部分６は次いで前部分５あるいは後部分６の側部フラップ８における固定手段１６によってベルト部分１０に取り付けられる。
【００１１】
１対のベルト部分１０は一端をおむつの後部分６あるいは前部分５に取り付けられる（例えば接着又は超音波溶接される）。ベルト部分１０は対向するベルト部分の外側に対して取り付けられるフックアンドループ型ファスナー又はテープタブの如き固定手段１５によってそれらの対向する端を一緒に固定されることを意図される。フックアンドループファスナー又はテープタブの如き前部分５の固定手段１６はおむつ／失禁ガードを所望のパンツ状形状に固定するためにベルト部分１０の外側に対して取り付けられることを意図される。
【００１２】
ベルト部分１０の幅は５〜２０ｃｍ、好ましくは７〜１５ｃｍであるべきである。ベルト部分１０はベルトの外側を形成するキャリア材料と、使用者の皮膚と直接接触することを意図されるベルトの内側を形成する柔らかい不織材料との積層体であることが好ましい。好適な不織材料は例えばポリプロピレン又はポリエチレン繊維のスパンボンド材料であることができる。複合繊維を使用してもよい。別の好適な不織材料は例えばポリプロピレン、ポリエステル又は複合繊維のカードされ熱結合された材料であることができる。キャリア材料としてプラスチックフィルム又は他の適切な材料、例えば不織布を使用することができる。キャリア材料は固定手段１５及び１６の両方のための受容表面として機能するように適応されるべきであり、それらの場合において取付手段はテープタブであり、プラスチックフィルムが好ましい。テープタブの代わりに他のタイプの固定手段、例えばフックアンドループ型ファスナーが使用される場合には、固定手段のための受容表面として機能しうる別のタイプのキャリア材料が好ましく使用される。また、弾性積層体はベルト部分における材料として使用することが好適である。
【００１３】
図２はオールインワンおむつとして設計された本発明によるおむつを示し、そこでは固定手段１７は後部分６上の側部フラップ９上に位置されることが好ましい。適用時に前記固定手段１７はパンツ状構造を形成するために前部分に取り付けられる。固定手段１７はフックアンドループファスナー又はテープタブを含んでもよい。前部分上の材料は前記固定手段１７のための受容表面として機能する能力を有する。
【００１４】
本発明によるおむつは取付手段１１を与えられる。おむつは図１に示されたようなベルトおむつ又は図２に示されたようなオールインワンおむつであってもよい。前記取付手段１１はおむつの後部分６上の一部分に位置されることが好ましい。前記部分はおむつ上の想像される中心線１２上に本質的に位置されることが好ましい。好ましくはこの部分は後部分６の上縁６ａの近くに位置される。取付手段１１は一片の接着剤テープ、接着剤のビード、接着剤ドットなどからなってもよい。前記取付手段１１は背中で患者の皮膚上に直接後部分６を介して適用時に製品を一時的に取り付けることを意図される。
【００１５】
ベルトおむつに対しては、後部分６上の取付手段１１は患者の背中上の皮膚に直接まず取り付けられる。次いでベルト部分１０は腰のまわりに、さらに上記のように取り付けられる。オールインワンおむつに対しては、後部分６上の取付手段１１は患者の背中上の皮膚に直接適用される。次いでおむつの残りは上述のように適用される。かくして患者上の製品の良好なセンタリングが得られる。皮膚に対して直接接着剤などを長期間暴露することは推奨されないので、その目的を達成した後はこの取付手段１１を容易に除去できることが望ましい。従って、取付手段１１は例えば好適に配置された有孔線１３に沿って引き裂くことによって除去されてもよい。この有孔線１３は前記取付手段１１から適切な距離上でかつ外側に配置される。好ましくは前記線１３はその端１４がおむつの後部分６の上縁６ａまで走るように本質的にＵ形状で延びる。取付手段１１が前部分５上に配置される場合には、端１４は前部分５の上縁５ａまで延びる。もちろん、前記線１３は本質的にＶ形状で延びてもよい。重要なことは線１３の設計が取付手段１１の簡単な除去を可能にすることである。
【００１６】
別の利点はベルトおむつが関連し、これが大きな腰サイズを有する起立している患者上で適用される場合に得られる。そのとき看護スタッフが腰のまわりにベルト部分１０を適用するために患者の腰まわりに手を回すことは困難でありうる。本発明による手段はまず患者上に前記取付手段１１を適用し、次いで両手を使用してベルト部分１０を把持し、正確な方法でおむつを適用できる点でおむつの適用を容易にすることができる。
【００１７】
本発明はもちろん上記例に限定されず、特許請求の範囲内で変更されることができる。
【図面の簡単な説明】
【図１】
ベルトおむつとして設計された本発明によるおむつ又は失禁ガードの透視図を概略的に示す。
【図２】
オールインワンおむつとして設計された本発明によるおむつ又は失禁ガードの透視図を概略的に示す。
【図３】
本発明によるおむつの後部分を示す。
【図１】
2004511302.tif 000003
【図２】
2004511302.tif 000004
【図３】
2004511302.tif 000005
【国際公開パンフレット】
2004511302.tif 000006
2004511302.tif 000007
2004511302.tif 000008
2004511302.tif 000009
2004511302.tif 000010
2004511302.tif 000011
2004511302.tif 000012
2004511302.tif 000013
2004511302.tif 000014
2004511302.tif 000015
2004511302.tif 000016
2004511302.tif 000017
【手続補正書】
【提出日】平成14年9月19日(2002.9.19)
【手続補正１】
【補正対象書類名】明細書
【補正対象項目名】特許請求の範囲
【補正方法】変更
【補正の内容】
【特許請求の範囲】
【請求項１】
液体透過性上部シート（３）、液体不透過性下部シート（２）及びそれらの間に封入された吸収体（４）を含む、おむつ及び失禁ガードの如き吸収物品であって、前記物品が前部分（５）、後部分（６）及びそれらの間の股部分（７）を有し、前及び後部分が側部フラップ（８，９）を有し、それらの側部フラップが使用者の腰のまわりにパンツ状形状になるように一緒に物品に取り付けることを意図される吸収物品において、吸収物品が物品の後部分（６）あるいは前部分（５）の上縁（６ａ，５ａ）の近くに位置される少なくとも一つの取付手段（１１）を含み、それによって前記取付手段（１１）が物品の適用中使用者の皮膚に対して取り付けられることを意図されること、及び前記取付手段（１１）が破断の表示を含む有孔線（１３）の内側に配置されており、その線（１３）に沿って取付手段（１１）を有する物品の部分が物品の残りから除去されることができることを特徴とする吸収物品。
【請求項２】
前記取付手段（１１）が物品の後部分（６）あるいは前部分（５）上の想像された縦方向中心線（１２）上に本質的に横たわる部分に位置されることを特徴とする請求項１に記載の吸収物品。
【請求項３】
前記取付手段（１１）が一片の接着剤テープ、接着剤部分又は同様物を含むことを特徴とする請求項１又は２に記載の吸収物品。
【請求項４】
前記有孔線（１３）が本質的にＵ形状であることを特徴とする請求項１〜３のいずれかに記載の吸収物品。
【請求項５】
前記有孔線（１３）が本質的にＶ形状であることを特徴とする請求項１〜３のいずれかに記載の吸収物品。
【請求項６】
物品がベルトおむつであり、さらに１対のベルト部分（１０）が後部分（６）又は前部分（５）の側部フラップ（９，８）に接続され、そのベルト部分が使用者の腰のまわりに取り付けられることを意図され、対向する部分の側部フラップが取付手段（１６）によってベルト部分（１０）に取り付けられることを意図されることを特徴とする請求項１〜５のいずれかに記載の吸収物品。
【請求項７】
物品がオールインワンおむつであり、後部分（６）及び／又は前部分（５）の側部フラップが対向する部分に取り付けられることを意図される取付手段（１７）を有することを特徴とする請求項１〜５のいずれかに記載の吸収物品。
【国際調査報告】
2004511302.tif 000018
2004511302.tif 000019
2004511302.tif 000020